(57)【要約】【課題】複数の照明器具のそれぞれの照明器具本体を交換することなく、複数の照明器具を一括して制御することができる電球セット、電球、および電球制御システムを提供する。【解決手段】電球セットは、取り外し可能な態様で第１の照明器具本体４０に取り付けられ、第1の照明器具本体４０の操作部１０の使用者による操作に基づいて発光態様が変更される親機電球４と、取り外し可能な状態で第２の照明器具本体５０に取り付けられ、親機電球４から送信されてきた親機無線情報に基づいて発光態様が変更される子機電球５と、を備えている。【選択図】図１
2016100125.tif 000002
【特許請求の範囲】
【請求項１】
取り外し可能な態様で第１の照明器具本体に取り付けられ、前記第１の照明器具本体の操作部の使用者による操作に基づいて発光態様が変更される親機電球と、
取り外し可能な状態で第２の照明器具本体に取り付けられ、前記親機電球から送信されてきた親機無線情報に基づいて発光態様が変更される子機電球と、を備え、
前記親機電球は、
前記第１の照明器具本体に対して取り付けられる親機口金部と、
前記第１の照明器具本体から前記親機口金部を経由して供給される電力を利用して発光する親機発光部と、
前記第１の照明器具本体から前記親機口金部を経由して供給される電力の供給態様によって特定される本体指令情報に基づいて、前記親機発光部の発光態様を制御する親機制御部と、
前記親機制御部によって制御されることにより前記親機発光部の発光態様を特定可能な情報を含む前記親機無線情報を前記子機電球へ送信する親機アンテナ部と、を含み、
前記子機電球は、
前記第２の照明器具本体に対して取り付けられる子機口金部と、
前記第２の照明器具本体から前記子機口金部を経由して供給される電力を利用して発光する子機発光部と、
前記親機電球から送信されてきた前記親機無線情報を受信する子機アンテナ部と、
前記子機アンテナ部で受信された前記親機無線情報から前記親機発光部の発光態様を特定可能な情報を抽出し、抽出された前記親機発光部の発光態様を特定可能な情報に基づいて前記子機発光部の発光態様を制御する子機制御部と、を含む、電球セット。
【請求項２】
前記子機制御部は、前記親機発光部の発光態様を特定可能な情報に基づいて、前記親機発光部の発光態様と同一の発光態様で前記子機発光部を発光させる、請求項１に記載の電球セット。
【請求項３】
前記親機制御部は、前記本体指令情報が前記子機発光部と前記親機発光部とを連動させないことを指示する非連動指示情報を含んでいる場合には、前記非連動指示情報に基づく指示を解除することを指示する非連動指示解除情報を受信するまで、前記親機発光部の発光態様を特定可能な情報を前記親機無線情報として送信しない、請求項１または２に記載の電球セット。
【請求項４】
前記親機制御部は、前記本体指令情報が前記子機発光部と前記親機発光部とを連動させないことを指示する非連動指示情報を含んでいる場合に、前記子機電球へ前記非連動指示情報を送信し、
前記子機制御部は、前記非連動指示情報を受信した後、前記非連動指示情報に基づく指示を解除することを指示する非連動指示解除情報を受信するまで、前記非連動指示情報を受信する前に受信した前記親機発光部の発光態様を特定可能な情報に基づいた前記子機発光部の発光態様の制御を維持する、請求項１または２に記載の電球セット。
【請求項５】
前記親機発光部の発光態様を特定可能な情報は、輝度と色温度とが予め定められた対応関係を有する情報である、請求項１〜４のいずれかに記載の電球セット。
【請求項６】
取り外し可能な態様で第１の照明器具本体に取り付けられ、コントローラから送信されてきたコントローラ無線情報に基づいて発光態様が変更される親機電球と、
取り外し可能な状態で第２の照明器具本体に取り付けられ、前記親機電球から送信されてきた親機無線情報に基づいて発光態様が変更される子機電球と、を備え、
前記親機電球は、
前記第１の照明器具本体に対して取り付けられる親機口金部と、
前記第１の照明器具本体から前記親機口金部を経由して供給される電力を利用して発光する親機発光部と、
前記コントローラから送信されてきた前記コントローラ無線情報に基づいて、前記親機発光部の発光態様を制御する親機制御部と、
前記親機制御部によって制御されることにより前記親機発光部の発光態様を特定可能な情報を含む前記親機無線情報を前記子機電球へ送信する親機アンテナ部と、を含み、
前記子機電球は、
前記第２の照明器具本体に対して取り付けられる子機口金部と、
前記第２の照明器具本体から前記子機口金部を経由して供給される電力を利用して発光する子機発光部と、
前記親機電球から送信されてきた前記親機無線情報を受信する子機アンテナ部と、
前記子機アンテナ部で受信された前記親機無線情報から前記親機発光部の発光態様を特定可能な情報を抽出し、抽出された前記親機発光部の発光態様を特定可能な情報に基づいて前記子機発光部の発光態様を制御する子機制御部と、を含む、電球セット。
【請求項７】
前記子機制御部は、前記親機発光部の発光態様を特定可能な情報に基づいて、前記親機発光部の発光態様と同一の発光態様で前記子機発光部を発光させる、請求項６に記載の電球セット。
【請求項８】
前記親機制御部は、前記コントローラ無線情報が前記子機発光部と前記親機発光部とを連動させないことを指示する非連動指示情報を含んでいる場合には、前記非連動指示情報に基づく指示を解除することを指示する非連動指示解除情報を受信するまで、前記親機発光部の発光態様を特定可能な情報を前記親機無線情報として送信しない、請求項６または７に記載の電球セット。
【請求項９】
前記親機制御部は、前記コントローラ無線情報が前記子機発光部と前記親機発光部とを連動させないことを指示する非連動指示情報を含んでいる場合に、前記子機電球へ前記非連動指示情報を送信し、
前記子機制御部は、前記非連動指示情報を受信した後、前記非連動指示情報に基づく指示を解除することを指示する非連動指示解除情報を受信するまで、前記非連動指示情報を受信する前に受信した前記親機発光部の発光態様を特定可能な情報に基づいた前記子機発光部の発光態様の制御を維持する、請求項６または７に記載の電球セット。
【請求項１０】
前記親機発光部の発光態様を特定可能な情報は、輝度と色温度とが予め定められた対応関係を有する情報である、請求項６〜９のいずれかに記載の電球セット。
【請求項１１】
請求項１〜１０のいずれかに記載の電球セットにおける前記親機電球として構成された、電球。
【請求項１２】
請求項１〜１０のいずれかに記載の電球セットにおける前記子機電球として構成された、電球。
【請求項１３】
請求項１〜５のいずれかに記載の電球セットにおいて前記親機電球および前記子機電球のいずれかとして用いられる電球であって、
前記親機電球の機能と前記子機電球の機能との双方を備えた、電球。
【請求項１４】
請求項６〜１０のいずれかに記載の電球セットにおいて前記親機電球および前記子機電球のいずれかとして用いられる電球であって、
前記親機電球の機能と前記子機電球の機能とを切り替えるための切替スイッチをさらに備えた、電球。
【請求項１５】
請求項６〜１０のいずれかに記載の電球セットと、
請求項６〜１０のいずれかに記載の電球セットの前記親機電球に前記コントローラ無線情報を送信する前記コントローラと、を備えた、電球制御システム。
【発明の詳細な説明】
【技術分野】
【０００１】
本発明は、取り外し可能な状態で照明器具本体に取り付けられる電球セット、電球、および電球制御システムに関するものである。
【背景技術】
【０００２】
従来から、複数の照明器具が１つの部屋に設置さている場合、複数のコントローラを用いて複数の照明器具をそれぞれ独立して制御している。そのため、複数の照明器具の制御のための手間が煩雑である。そこで、たとえば、特許文献１に開示されているように、複数の照明器具を一括して制御することができる照明システムが開発されている。
【先行技術文献】
【特許文献】
【０００３】
【特許文献１】特開２０１２−１０４３０１号公報
【発明の概要】
【発明が解決しようとする課題】
【０００４】
上記の特許文献１に開示された照明システムによれば、その照明システムを新たに構築するためには、複数の照明器具のそれぞれの照明器具本体、すなわち電球以外の全ての部分を交換することが必要である。
【０００５】
本発明は、上述の問題に鑑みてなされたものである。本発明の目的は、複数の照明器具のそれぞれの照明器具本体を交換することなく、複数の照明器具を一括して制御することができる電球セット、電球、および電球制御システムを提供することである。
【課題を解決するための手段】
【０００６】
本発明の第１の態様の電球セットは、取り外し可能な態様で第１の照明器具本体に取り付けられ、前記第１の照明器具本体の操作部の使用者による操作に基づいて発光態様が変更される親機電球と、取り外し可能な状態で第２の照明器具本体に取り付けられ、前記親機電球から送信されてきた親機無線情報に基づいて発光態様が変更される子機電球と、を備え、前記親機電球は、前記第１の照明器具本体に対して取り付けられる親機口金部と、前記第１の照明器具本体から前記親機口金部を経由して供給される電力を利用して発光する親機発光部と、前記第１の照明器具本体から前記親機口金部を経由して供給される電力の供給態様によって特定される本体指令情報に基づいて、前記親機発光部の発光態様を制御する親機制御部と、前記親機制御部によって制御されることにより前記親機発光部の発光態様を特定可能な情報を含む親機無線情報を前記子機電球へ送信する親機アンテナ部と、を含み、前記子機電球は、前記第２の照明器具本体に対して取り付けられる子機口金部と、前記第２の照明器具本体から前記子機口金部を経由して供給される電力を利用して発光する子機発光部と、前記親機電球から送信されてきた前記親機無線情報を受信する子機アンテナ部と、前記子機アンテナ部で受信された前記親機無線情報から前記親機発光部の発光態様を特定可能な情報を抽出し、抽出された前記親機発光部の発光態様を特定可能な情報に基づいて前記子機発光部の発光態様を制御する子機制御部と、を含む。
【０００７】
本発明の第２の態様の電球セットは、取り外し可能な態様で第１の照明器具本体に取り付けられ、コントローラから送信されてきたコントローラ無線情報に基づいて発光態様が変更される親機電球と、取り外し可能な状態で第２の照明器具本体に取り付けられ、前記親機電球から送信されてきた親機無線情報に基づいて発光態様が変更される子機電球と、を備え、前記親機電球は、前記第１の照明器具本体に対して取り付けられる親機口金部と、前記第１の照明器具本体から前記親機口金部を経由して供給される電力を利用して発光する親機発光部と、前記コントローラから送信されてきた前記コントローラ無線情報に基づいて、前記親機発光部の発光態様を制御する親機制御部と、前記親機制御部によって制御されることにより前記親機発光部の発光態様を特定可能な情報を含む前記親機無線情報を前記子機電球へ送信する親機アンテナ部と、を含み、前記子機電球は、前記第２の照明器具本体に対して取り付けられる子機口金部と、前記第２の照明器具本体から前記子機口金部を経由して供給される電力を利用して発光する子機発光部と、前記親機電球から送信されてきた前記親機無線情報を受信する子機アンテナ部と、前記子機アンテナ部で受信された前記親機無線情報から前記親機発光部の発光態様を特定可能な情報を抽出し、抽出された前記親機発光部の発光態様を特定可能な情報に基づいて前記子機発光部の発光態様を制御する子機制御部と、を含む。
【０００８】
本発明の第１の態様の電球は、上記のいずれかの電球セットにおける前記親機電球として構成されている。
【０００９】
本発明の第２の態様の電球は、上記のいずれかに記載の電球セットにおける前記子機電球として構成されている。
【００１０】
本発明の第３の態様の電球は、上記のいずれかに記載の電球セットにおいて前記親機電球および前記子機電球のいずれかとして用いられる電球であって、前記親機電球の機能と前記子機電球の機能との双方を備えている。
【００１１】
本発明の第４の態様の電球は、上記の電球セットにおいて前記親機電球および前記子機電球のいずれかとして用いられる電球であって、前記親機電球の機能と前記子機電球の機能とが切り替えられるスイッチを備えている。
【００１２】
本発明の電球制御システムは、上記のいずれかに記載の電球セットと、上記のいずれかに記載の電球セットの前記親機電球に前記コントローラ無線情報を送信する前記コントローラと、を備えている。
【発明の効果】
【００１３】
本発明によれば、複数の照明器具のそれぞれの照明器具本体を交換することなく、複数の照明器具を一括して制御することができる。
【図面の簡単な説明】
【００１４】
【図１】本発明の実施形態１の電球セットが照明システムにおいて使用されるときの周辺環境を説明するための図である。
【図２】本発明の実施形態１の電球セットが照明システムにおいて使用されるときの第１の通信形態を説明するための図である。
【図３】本発明の実施形態１の電球セットが照明システムにおいて使用されるときの第２の通信形態を説明するための図である。
【図４】本発明の実施形態１の電球セットの親機電球の構造を説明するための図である。
【図５】本発明の実施形態１および２の電球セットの子機電球の構造を説明するための図である。
【図６】本発明の実施形態１の電球セットの親機電球の機能を説明するためのブロック図である。
【図７】本発明の実施形態１および２の電球セットの子機電球の機能を説明するためのブロック図である。
【図８】本発明の実施形態２の電球セットが照明システムにおいて使用されるときの周辺環境を説明するための図である。
【図９】本発明の実施形態２の電球セットが照明システムにおいて使用されるときの通信形態を説明するための図である。
【図１０】本発明の実施形態２の電球セットの親機電球の構造を説明するための図である。
【図１１】本発明の実施形態２の電球セットの親機電球の機能を説明するためのブロック図である。
【図１２】本発明の実施形態２の電球セットを制御するコントローラを説明するための図である。
【図１３】本発明の実施形態４の電球セットにおいて親機電球および子機電球のいずれとしても使用され得る電球の構造を説明するための図である。
【図１４】クルイトフ（Kruithof）の快適領域を説明するためのグラフである。
【発明を実施するための形態】
【００１５】
以下、図面を参照しながら、本発明の実施の形態の電球セットを説明する。
【００１６】
（実施の形態１）
以下、図１〜図７を用いて、本発明の実施の形態１の電球セットを説明する。
【００１７】
図１に示されるように、実施の形態１の電球セットを構成する電球のそれぞれは、たとえば、ホテルの客室等の照明器具に取り付けられ、照明システムの一部として用いられるものである。ホテルの客室は、通常、複数の照明器具を備えている
本実施の形態の照明システムは、１つの照明器具４００と、２つの照明器具５００とを備えている。ただし、照明器具５００の数は、２つに限定されない。照明器具４００は、第１の照明器具本体４０と、取り外し可能な状態で第１の照明器具本体４０に取り付けられている親機電球４とを含んでいる。２つの照明器具５００は、それぞれ、取り外し可能な状態で第２の照明器具本体５０と第２の照明器具本体５０に取り付けられている子機電球５４とを含んでいる。
【００１８】
図２および図３に示されるように、親機電球４は、使用者によって直接的に制御される電球である。子機電球５は、使用者によって直接的に制御される親機電球４によって制御される。つまり、親機電球４は、使用者によって親機電球４を媒介として間接的に制御される。使用者は、ベッド２００同士の間に設けられた照明器具４００を制御するための操作部１０を用いて、親機電球４を制御する。
【００１９】
操作部１０は、既設の第１の照明器具本体４０の一部である。操作部１０は、壁等のコンセントの電源から電力の供給を受ける。操作部１０と親機電球４とは、たとえば、壁内に延びる配線等の有線回路で電気的に接続されている。親機電球４は、第１の照明器具本体４０の操作部１０の使用者による操作によって生じる有線情報に基づいて発光態様が変更される。子機電球５は、親機電球４から送信されてきた無線情報に基づいて発光態様が変更される。
【００２０】
図２に示されるように、本実施の形態の照明システムの一例の操作部１０は、調光部１１、調色部１２、およびＯＮ／ＯＦＦスイッチ１３を備えている。操作部１０の操作による本体指令情報は、第１の照明器具本体４０内に設けられた電力線を経由して、パルス信号として親機電球４へ送信される。たとえば、ＯＮ／ＯＦＦスイッチ１３がＯＦＦされている状態では、電力は電源から操作部１０を経由して親機電球４へ供給されないため、親機電球４は点灯しない。一方、ＯＮ／ＯＦＦスイッチ１３がＯＮされている状態では、電力は電源から操作部１０を経由して親機電球４へ供給されるため、親機電球４が点灯する。
【００２１】
また、ＯＮ／ＯＦＦスイッチ１３がＯＮされている状態では、調光部１１および調色部１２の少なくともいずれか一方の操作により、パルス信号が電力線を経由して親機電球４へ送信される。具体的には、調光部１１および調色部１２のそれぞれのダイヤルを回すと、そのダイヤルが回された角度に対応したパルス信号が電力線を経由して親機電球４へ送られる。図２に示される操作部１０によれば、親機電球４が発する光の輝度および色温度のそれぞれを独立して変更することができる。
【００２２】
図３に示されるように、本実施の形態の照明システムの他の例の操作部１０は、調光調色部１１２およびＯＮ／ＯＦＦスイッチ１３を備えている。調光調色部１１２は、予め定められた輝度と色温度との関係で親機電球４を発光させるためのパルス信号を親機電球４へ送信するためのダイヤルである。親機電球４は、調光調色部１１２の操作によって操作部１０から電力線を経由して所定のパルス信号を受信すると、その処理のパルス信号によって特定される輝度および色温度の光を発する。
【００２３】
図３に示される操作部１０によれば、親機電球４が発する光の輝度および色温度の双方を一括して変更することができる。また、図３に示される操作部１０が使用される場合には、親機電球４の発光態様を特定可能な情報は、輝度と色温度とが予め定められた対応関係を有する情報である。したがって、輝度と色温度とが予め決定された適切な関係となるように、親機電球４を発光させることができる。
【００２４】
本実施の形態の照明システムは、図２および図３の操作部１０のいずれを有していてもよい。既に照明器具本体の一部として設置されている操作部が新たに形成される照明システムにおいても用いられることが望ましい。これによれば、既設の照明器具本体の全てを新たな照明器具本体として利用することができる。
【００２５】
図４に示されるように、親機電球４は、親機口金部４１、親機接続部４２、親機グローブ部４３、親機発光部４４、親機制御部４５、および親機アンテナ部４６を備えている。
【００２６】
親機口金部４１は、取り外し可能な状態で第１の照明器具本体４０に対して取り付けられる。親機口金部４１は、雄ネジ部を有している。親機口金部４１の雄ネジ部が第１の照明器具本体４０の雌ネジ部にねじ込まれる。この雄ネジ部と雌ネジ部との接触により、電力が第１の照明器具本体４０から親機口金部４１を経由して親機電球４の親機発光部４４へ供給され得る状態が形成される。親機口金部４１は、親機接続部４２に固定されている。親機接続部４２は、円筒状の絶縁体によって構成されている。
【００２７】
親機接続部４２は、その内部に親機制御部４５および親機アンテナ部４６を内包している。親機接続部４２は、透明ガラスからなる球殻構造を有する親機グローブ（globe）部４３に固定されている。親機グローブ部４３は、親機発光部４４が発する光を外部に放出するが、親機口金部４１および親機接続部４２とともに、親機発光部４４を内包する密閉空間を構成している。
【００２８】
親機発光部４４は、第１の照明器具本体４０から親機口金部４１を経由して供給される電力を利用して発光する。親機発光部４４の発光態様は、変更され得るものである。親機発光部４４は、ＬＥＤ（Light Emitting Diode）を含み、調光および調色をすることが可能に構成されている。親機発光部４４は親機制御部４５に電気的に接続されている。それにより、親機発光部４４の親機発光態様が、親機制御部４５によって制御される。
【００２９】
また、親機制御部４５は、第１の照明器具本体４０の操作部１０の操作によって、電源から第１の照明器具本体４０内の電力線および親機口金部４１を経由して送られてくるパルス信号に基づいて、親機発光部４４を制御する。
【００３０】
図５に示されるように、子機電球５は、子機口金部５１、子機接続部５２、子機グローブ部５３、子機発光部５４、子機制御部５５、および子機アンテナ部５６を備えている。
【００３１】
子機口金部５１は、取り外し可能な状態で第２の照明器具本体５０に対して取り付けられている。子機口金部５１は、雄ネジ部を有している。子機口金部５１の雄ネジ部が第２の照明器具本体５０の雌ネジ部にねじ込まれる。この雄ネジ部と雌ネジ部との接触により、電力が第２の照明器具本体５０から子機口金部５１を経由して子機電球５の子機発光部５４へ供給され得る状態が形成される。子機口金部５１は、子機接続部５２に固定されている。子機接続部５２は、円筒状の絶縁体によって構成されている。
【００３２】
子機接続部５２は、その内部に子機制御部５５および子機アンテナ部５６を内包している。子機接続部５２は、透明ガラスからなる球殻構造を有する親機グローブ（globe）部５３に固定されている。子機グローブ部５３は、子機発光部５４が発する光を外部に放出するが、子機口金部５１および子機接続部５２とともに、子機発光部５４を内包する密閉空間を構成している。
【００３３】
子機発光部５４は、第２の照明器具本体５０から子機口金部５１を経由して供給される電力を利用して発光する。子機発光部５４の発光態様は、変更され得るものである。子機発光部５４は、ＬＥＤ（Light Emitting Diode）を含み、調光および調色をすることが可能に構成されている。子機発光部５４は子機制御部５５に電気的に接続されている。それにより、子機発光部５４の親機発光態様が、親機制御部４５によって制御される。子機制御部５５は、親機電球４から送信されてきた親機無線情報に基づいて、親機発光部４４を制御する。
【００３４】
上記から分かるように、本実施の形態においては、子機電球５と親機電球４とは、構造上および外観上においては同一であり、子機制御部５５の機能と親機制御部４５との機能とが異なるだけであるものとする。
【００３５】
図６に示されるように、親機制御部４５は、無線情報送信部４５ａ、記憶部４５ｅ、タイマ４５ｃ、駆動部４５ｄ、および発光制御部４５ｂを含んでいる。
【００３６】
無線情報送信部４５ａは、親機アンテナ部４６で受信された無線情報から所定時刻の情報を抽出する。記憶部４５ｅは、親機発光部４４を予め定められた発光態様で発光させるための親機発光制御情報を記憶している。タイマ４５ｃは、時刻を計時する。タイマ４５ｃは、所定期間内に操作部１０の操作に基づいていくつのパルスが送られてきたのかを判定するために用いられる。それにより、操作部１０から送信されてきたパルス信号がいかなる本体指令情報であるのかを判定する。
【００３７】
駆動部４５ｄは、親機発光部４４を駆動する。発光制御部４５ｂは、記憶部４５ｅに記憶された親機発光制御情報に基づいて、予め定められた発光態様で親機発光部４４が発光するように、駆動部４５ｄに親機発光部４４を駆動させる。発光制御部４５ｂは、操作部１０から送信されてきた本体指令情報（パルス信号）に基づいて、予め定められた発光態様で親機発光部４４を発光させる。
【００３８】
駆動部４５ｄは、第１の照明器具本体４０および親機口金部４１を経由して電力が供給される部分である。駆動部４５ｄは、供給された電力を用いて、親機発光部４４を発光させる。駆動部４５ｄは、第１の照明器具本体４０の操作部１０の操作によって、電源から第１の照明器具本体４０内の電力線および親機口金部４１を経由して送られてくる、いわゆる有線情報を処理するための部分でもある。
【００３９】
たとえば、操作部１０のＯＮ／ＯＦＦスイッチ１３が１秒以内にＯＮ状態からＯＦＦ情報を経由してＯＮ状態に戻されたとする。この場合に、駆動部４５ｄから発光制御部４５ｂへそのパルス信号が送られる。それにより、発光制御部４５ｂは、操作部１０の調光部１１および調色部１２のそれぞれの操作によって送られてくるパルス信号に基づく制御を実行することが可能になる。
【００４０】
図６からも分かるように、第１の照明器具本体４０は、操作部１０を含んでいる。操作部１０は、ＯＮ／ＯＦＦスイッチ１３、調光部１１、および調色部１２を含んでいる。調光部１１および調色部１２は、それぞれ、親機口金部４１に電気的に接続されており、操作部１０から親機口金部４１へ至る電力線を利用して、駆動部４５ｄへ指令信号を送信する。
【００４１】
ＯＮ／ＯＦＦスイッチ１３は、親機電球４の点灯と消灯とを切り替えるためのスイッチである。ＯＮ／ＯＦＦスイッチ１３がＯＮ状態である場合には、電力が電源から第１の照明器具本体４０内の電力線および親機口金部４１を経由して親機制御部４５の駆動部４５ｄへ供給される。ＯＮ／ＯＦＦスイッチ１３がＯＦＦ状態である場合には、第１の照明器具本体４０から親機電球４へ電力は供給されないため、親機電球４は発光することができない。発光制御部４５ｂは、第１の照明器具本体４０から駆動部４５ｄへ電力が供給されている場合に、その電力を利用して、駆動部４５ｄに親機発光部４４を駆動させる。
【００４２】
調光部１１は、親機電球４が発する光の輝度を調節するためのダイヤルスイッチである。ダイヤルスイッチを回すことにより親機電球４が発する光の輝度を変更することができる。調光部１１を回すことによって指示された親機電球４が発する光の輝度の情報は、第１の照明器具本体４０内の電力線および親機口金部４１を経由して、駆動部４５ｄで受信される。
【００４３】
たとえば、使用者が調光部１１のつまみを回す度合いに応じて、操作部１０から輝度に対応したパルス信号を駆動部４５ｄへ送られる。駆動部４５ｄは、輝度に対応したパルス信号を発光制御部４５ｂへ送る。発光制御部４５ｂは、その輝度に対応したパルス信号に基づいて、親機発光部４４がその輝度で発光するように、駆動部４５ｄに親機発光部４４を駆動させる。
【００４４】
調色部１２は、親機電球４が発する光の色温度を調節するためのダイヤルスイッチである。ダイヤルスイッチを回すことにより親機電球４が発する光の色温度を変更することができる。調色部１２を回すことによって指示された親機電球４が発する光の色温度の情報は、第１の照明器具本体４０内の電力線および親機口金部４１を経由して、駆動部４５ｄで受信される。
【００４５】
たとえば、使用者が調色部１２のつまみを回す度合いに応じて、操作部１０から色温度に対応したパルス信号を駆動部４５ｄへ送られる。駆動部４５ｄは、色温度に対応したパルス信号を発光制御部４５ｂへ送る。発光制御部４５ｂは、その色温度に対応したパルス信号に基づいて、記憶部４５ｅから親機発光制御情報を読み出す。発光制御部４５ｂは、その読み出された親機発光制御情報にしたがって親機発光部４４がその色温度の光を発するように、駆動部４５ｄに親機発光部４４を駆動させる。
【００４６】
親機発光部４４は、第１の照明器具本体４０から親機口金部４１を経由して供給される電力を利用して発光する。親機制御部４５は、第１の照明器具本体４０から親機口金部４１を経由して供給される電力の供給態様によって特定される本体指令情報（パルス信号）に基づいて、親機発光部４４の発光態様を制御する。親機アンテナ部４６は、親機制御部４５によって制御されることにより親機発光部４４の発光態様を特定可能な情報を含む親機無線情報を子機電球５へ送信する。
【００４７】
図７に示されるように、子機制御部５５は、無線情報受信部５５ａ、記憶部５５ｅ、タイマ５５ｃ、駆動部５５ｄ、および発光制御部５５ｂを含んでいる。
【００４８】
無線情報受信部５５ａは、子機アンテナ部５６で受信された親機無線情報から親機発光態様を特定可能な情報を抽出する。記憶部５５ｅは、子機発光部５４を予め定められた子機発光態様で発光させるための子機発光制御情報を記憶している。タイマ５５ｃは、時刻を計時する。タイマ５５ｃは、所定期間内に第２の照明器具本体５０の操作部（図示せず）の操作に基づいていくつのパルスが送られてきたのかを判定するために用いられる。それにより、第２の照明器具本体５０の操作部から送信されてきたパルス信号がいかなる本体指令情報であるのかを判定する。
【００４９】
駆動部５５ｄは、子機発光部５４を駆動する。発光制御部５５ｂは、親機電球４から送信されてきた親機発光部４４の発光態様を特定可能な無線情報に基づいて、記憶部５５ｅから子機発光制御情報を読み出する。それにより、発光制御部５５ｂは、子機発光制御情報を用いて、予め定められた子機発光態様で子機発光部５４が発光するように、駆動部４５ｄに子機発光部５４を駆動させる。その結果、子機発光部５４が、予め定められた子機発光態様で発光する。
【００５０】
また、子機制御部５５は、電源から第２の照明器具本体５０内の電力線および子機口金部５１を経由して送られてくる本体指令情報（パルス信号）に基づいて、子機発光部５４の発光態様を制御することができる。パルス信号は、前述のように、第２の照明器具本体５０の操作部２０のＯＮ／ＯＦＦスイッチ２３の操作によって、発光制御部５５ｂへ送信される。このＯＮ／ＯＦＦスイッチ２３の操作による子機発光部５４の発光態様の制御が、親機電球４から送信されてきた親機発光部４４の発光態様を特定可能な無線情報に基づく子機発光部５４の発光態様の制御よりも優先して実行される。
【００５１】
また、第２の照明器具本体５０の操作部２０に子機電球５へ複数種類のパルス信号を発する調光部２１および調色部２２が設けられている場合がある。この場合には、調光部２１および調色部２２の操作によって送信されてきたパルス信号に基づく子機電球５の制御が、親機電球４から送信されてきた親機無線情報に基づく制御よりも優先して実行される。ただし、調光部２１および調色部２２は、第２の照明器具本体５０の操作部２０に設けられていなくてもよい。
【００５２】
駆動部４５ｄは、第２の照明器具本体５０および子機口金部５１を経由して電力が供給される部分である。駆動部５５ｄは、その電力を用いて、子機発光部５４を発光させる。
【００５３】
子機発光部５４は、第２の照明器具本体５０から子機口金部５１を経由して供給される電力を利用して発光する。子機アンテナ部５６は、親機電球４から送信されてきた親機無線情報を受信する。子機制御部５５は、子機アンテナ部５６で受信された親機無線情報から親機発光部４４の発光態様を特定可能な情報を抽出し、抽出された親機発光部４４の発光態様に基づいて、子機発光部５４の発光態様を制御する。子機制御部５５は、親機電球４の発光態様を特定可能な情報に基づいて、記憶部５５ｅから子機発光制御情報を読み出し、親機発光部４４の発光態様と同一の発光態様で子機発光部５４を発光させる。
【００５４】
上記の制御によれば、親機発光部４４の発光態様と子機発光部５４の発光態様とを関連付けて制御することができる。具体的には、親機電球４の発光態様を決定するだけで、親機発光部４４と子機発光部５４とを同一の発光態様で発光させることができる。ただし、親機発光部４４と子機発光部５４とは、必ずしも同一の発光態様で発光する必要はない。
【００５５】
たとえば、子機発光部５４の発光態様が、親機発光部４４の発光態様よりも、輝度が低くかつ色温度が低くなるように、子機発光部５４および親機発光部４４が発光してもよい。また、逆に、子機発光部５４の発光態様が、親機発光部４４の発光態様よりも、輝度が高くかつ色温度が高くなるように、子機発光部５４および親機発光部４４が発光してもよい。要するに、親機発光部４４の発光態様に対応する子機発光部５４の発光態様が予め定められている。この前提条件の下で、親機発光部４４の発光態様を特定可能な情報に基づいて、親機発光部４４の発光態様に対応する発光態様で子機発光部５４を発光させるための制御が実行される。
【００５６】
操作部１０は、３秒以内にＯＮ／ＯＦＦスイッチ１３のＯＦＦからＯＮへ切り替える操作が３回繰り返して行われた場合に、電力線を経由したパルス信号からなる非連動指示情報を本体指令情報として親機電球４に送信する。これにより、親機電球４と子機電球５とが連動する。つまり、子機電球５は、親機電球４の発光態様に関連付けられた発光態様で発光する。また、操作部１０は、３秒以内にＯＮ／ＯＦＦスイッチ１３のＯＦＦからＯＮへ切り替える操作が４回繰り返して行われた場合に、電力線を経由したパルス信号からなる非連動指示解除情報を本体指令情報として親機電球４に送信する。これにより、親機電球４と子機電球５とが連動しなくなる。つまり、子機電球５は、親機電球４の発光態様から独立した発光態様で発光する。
【００５７】
（非連動制御Ｉ）
使用者が操作部１０において「非連動」を指示するようにＯＮ／ＯＦＦスイッチ１３を切り替える。この場合、操作部１０から親機電球４へ送られる本体指令情報は、子機発光部５４の発光態様を親機発光部４４の発光態様に連動させないことを指示する非連動指示情報を含んでいる。それにより、親機制御部４５は、非連動指示情報に基づく指示を解除する指示である非連動指示解除情報を受信するまで、親機発光部４４の発光態様を特定可能な情報を親機無線情報として子機電球５へ送信しない。したがって、子機制御部５５は、非連動指示情報を受信する前に受信した親機発光部４４の発光態様を特定可能な情報に基づいた子機発光部５４の発光態様の制御を維持する。これによれば、操作部１０の操作により、子機発光部５４の発光態様を維持した状態で、親機発光部４４の発光態様のみを独立して変更することができる。
【００５８】
（非連動制御Ｉの解除）
使用者が操作部１０において「連動」を指示するようにＯＮ／ＯＦＦスイッチ１３を切り替える。この場合、操作部１０から親機電球４へ送られる本体指令情報は、子機発光部５４の発光態様を親機発光部４４の発光態様に連動させない旨の指示を解除することを指示する非連動指示解除情報を含んでいる。それにより、親機制御部４５は、非連動指示解除情報を子機電球５へ送信する。子機親機発光部４４は、再び、親機電球４から送信されてきた親機発光部４４の発光態様を特定可能な情報に基づいて、子機親機発光部４４を制御する。その結果、子機発光部５４の発光態様と親機発光部４４の発光態様とが再び連動する状態になる。
【００５９】
（非連動制御ＩＩ）
操作部１０から送られてきた本体指令情報が子機発光部５４の発光態様を親機発光部４４の発光態様に連動させないことを指示する非連動指示情報を含んでいる場合に、親機制御部４５は子機電球５へ非連動指示情報を送信してもよい。この場合、子機制御部５５は、非連動指示情報を受信する前に受信した親機発光部４４の発光態様を特定可能な情報に基づく子機発光部５４の発光態様の制御を維持する。この子機電球５の制御は、子機電球５が非連動指示情報を受信した後、非連動指示情報に基づく指示を解除する非連動指示解除情報を受信するまでの期間に行われる。これによっても、操作部１０の操作により、子機発光部５４の発光態様を維持した状態で、親機発光部４４の発光態様のみを独立して変更することができる。
【００６０】
（非連動制御ＩＩの解除）
使用者が操作部１０において「連動」を指示するようにＯＮ／ＯＦＦスイッチ１３を切り替える。それにより、操作部１０から親機電球４へ送られる本体指令情報は、子機電球５の発光態様を親機電球４の発光態様に連動させない旨の指示を解除することを指示する非連動指示解除情報を含んでいる。その結果、親機制御部４５は、非連動指示解除情報を含む本体指令情報を操作部１０から受信する。この場合、親機制御部４５は、親機アンテナ部４６から非連動指示解除情報を無線情報に含めて子機電球５へ送信する。これによっても、子機制御部５５は、非連動指示解除情報を受信した後においては、親機発光部４４の発光態様を特定可能な情報に基づいて、子機発光部５４の発光態様を制御する。その結果、子機発光部５４の発光態様と親機発光部４４の発光態様とが再び連動する状態になる。
【００６１】
（上記制御の利点）
上記の電球制御セットによれば、たとえば、ホテルの客室の清掃時には、最も高い輝度（明るい）でかつ高い色温度（白っぽい色）で、親機電球４および子機電球５のそれぞれを同時に点灯させることができる。また、この同時点灯のために操作部１０を操作するだけでよく、操作の手間が多い携帯端末を使う必要がない。また、複数の電球のそれぞれの制御のための操作をする必要がない。つまり、複数の電球の発光態様を簡単に一括して制御することができる。したがって、部屋の利用状態に応じた照明環境を構築することが容易になる。
【００６２】
操作部１０を操作して、親機電球４と子機電球５との間の通信機能をＯＦＦにすることにより、ベッドサイドの親機電球４のみを点灯させることができる。また、子機電球５が親機電球４から信号を受け取っても、子機電球５の発光態様を親機電球４の発光態様に連動させないことにより、ベッドサイドの親機電球４のみを点灯させることができる。これらの操作によれば、たとえば、ホテルの宿泊客は、読書またはくつろぎのために最適な照明環境を容易に形成することができる。
【００６３】
（実施の形態２）
以下、図８〜図１３を用いて、本発明の実施の形態２の電球セットを説明する。本実施の形態の電球セットは、実施の形態１の電球セットとほぼ同様である。以下、本実施の形態の電球セットと実施の形態１の電球セットとが相違する点を主に説明する。したがって、特に説明がない限り、同一の参照符号が付された部位同士の関係においては、本実施の形態の電球セットと実施の形態１の電球セットとは、同様の構成および機能を有しているものとする。
【００６４】
図８に示されるように、本実施の形態の電球セットを構成する電球のそれぞれも、たとえば、ホテルの客室の照明器具に取り付けられるものである。本実施の形態の電球セットは、親機電球４と子機電球５とからなっている点において、実施の形態１の電球セットと同様である。しかしながら、本実施の形態の電球セットの親機電球４は、コントローラ１０２から送信されてくる無線情報によって制御される点において、実施の形態１の親機電球４と異なっている。
【００６５】
本実施の形態においても、実施の形態１と同様に、第１の照明器具本体４０の操作部１０が親機電球４を制御できるものとする。ただし、本実施の形態においては、第１の照明器具本体４０の操作部１０が親機電球４を制御することができないものであってもよい。この場合には、親機電球４はコントローラ１０２の操作のみによって制御される。
【００６６】
図９に示されるように、本実施の形態の照明システムは、図９に示されるように、コントローラ１０２、親機電球４、および子機電球５を備えている。したがって、本実施の形態の照明システムにおいては、実施の形態１の操作部１０の代わりにコントローラ１０２によって親機電球４が制御される点において、実施の形態１の照明システムとは異なっている。
【００６７】
コントローラ１０２は、使用者の操作により親機電球４の発光態様を制御するためのものである。親機電球４は、実施の形態１と同様に、取り外し可能な状態で第１の照明器具本体４０に取り付けられている。ただし、親機電球４は、本実施の形態においては、コントローラ１０２から送信されてきたコントローラ無線情報に基づいて発光態様が変更され得る。
【００６８】
本実施の形態においても、子機電球５は、取り外し可能な状態で第２の照明器具本体５０に取り付けられている。また、本実施の形態においても、子機電球５は、親機電球４から送信されてきた親機無線情報に基づいて発光態様が変更される。つまり、本実施の形態の子機電球５の構成および機能は、実施の形態１の図５および図７に示される子機電球５の構成および機能と同一である。
【００６９】
図１０に示されるように、親機電球４は、親機口金部４１、親機発光部４４、親機制御部４５、および親機アンテナ部４６を含んでいる。親機口金部４１は、第１の照明器具本体４０に対して取り付けられる。親機発光部４４は、第１の照明器具本体４０から親機口金部４１を経由して供給される電力を利用して発光する。親機アンテナ部４６は、親機制御部４５によって制御されることにより親機発光部４４の発光態様を特定可能な情報を含む親機無線情報を子機電球５へ送信する。
【００７０】
図１０に示されるように、本実施の形態の親機電球４の構成は、実施の形態１の親機電球４の構成と同一である。ただし、本実施の形態の親機制御部４５は、コントローラ１０２から送信されてきたコントローラ無線情報に基づいて、親機発光部４４の発光態様を制御することができる点において、実施の形態１の親機制御部４５と異なっている。
【００７１】
図１１に示されるように、親機アンテナ部４６は、コントローラ１０２から送信されてきたコントローラ情報を受信し、親機発光部４４の親機発光態様を特定可能な情報を無線情報として送信する。外部から送信されてきた親機無線情報は、親機グローブ部４３を通過して親機アンテナ部４６へ至る。コントローラ無線情報は、親機発光態様を特定可能な情報を含んでいる。親機制御部４５は、親機アンテナ部４６に電気的に接続されている。親機制御部４５は、コントローラ１０２から送信されてきたコントローラ無線情報に基づいて親機発光部４４の発光態様を制御する。親機制御部４５は、親機アンテナ部４６から子機電球５へ親機発光態様を特定可能な情報を送信する。
【００７２】
具体的には、親機制御部４５は、実施の形態１の無線情報送信部４５ａの代わりに、無線情報受信／送信部４５０ａを備えている。無線情報受信／送信部４５０ａは、コントローラ１０２から送信されてきたコントローラ無線情報を受信し、コントローラ無線情報から親機発光部４４の発光態様を指示する情報を抽出する。発光制御部４５ｂは、親機発光態様を指示する情報に基づいて、記憶部４５ｅに記憶されている親機発光制御情報を用いて、親機発光部４４の発光態様を制御する。なお、図１１において、タイマ４５ｃ、駆動部４５ｄ、および記憶部４５ｅの機能は、実施の形態１の図５に示されるタイマ４５ｃ、駆動部４５ｄ、および記憶部４５ｅの機能と同一である。
【００７３】
本実施の形態の親機電球４においては、操作部１０の操作による親機電球４の発光態様の制御が、コントローラ１０２から送信されてきた無線情報による親機電球４の発光態様の制御よりも優先して実行される。
【００７４】
具体的には、発光制御部４５ｂは、第１の照明器具本体４０のＯＮ／ＯＦＦスイッチ１３がＯＮ状態であることを検出している場合に、親機アンテナ部４６が無線情報を受信すると、親機発光部４４の発光態様を制御する。この場合、発光制御部４５ｂは、親機発光部４４の発光態様を制御しているときに、第１の照明器具本体４０のＯＮ／ＯＦＦスイッチ１３がＯＮ状態からＯＦＦ状態を経てＯＮ状態へ戻されたことを検出する場合がある。この場合には、発光制御部４５ｂは、親機発光部４４を一定の発光状態で維持する。
【００７５】
これによれば、第１の照明器具本体４０のＯＮ／ＯＦＦスイッチ１３の操作により、コントローラ１０２からの無線情報にしたがった親機電球４の発光態様の制御が中止される。それにより、操作部１０の操作に基づく親機電球４の発光態様の制御を実行することが可能になる。
【００７６】
本実施の形態においても、実施の形態１と同様に、第１の照明器具本体４０は、調光部１１および調色部１２を有する操作部１０を備えている。しかしながら、操作部１０が調光部１１および調色部１２を有していない照明器具本体が用いられる場合がある。この場合には、コントローラ１０２から送られてくる無線情報によってのみ親機発光部４４の発光態様が制御される。
【００７７】
本実施の形態においても、図５に示される実施の形態１と同様に、子機電球５は、子機口金部５１、子機発光部５４、子機アンテナ部５６、および子機制御部５５を含んでいる。子機口金部５１は、第２の照明器具本体５０に対して取り付けられる。子機発光部５４は、第２の照明器具本体５０から子機口金部５１を経由して供給される電力を利用して発光する。子機アンテナ部５６は、親機電球４から送信されてきた親機無線情報を受信する。
【００７８】
子機制御部５５は、子機アンテナ部５６で受信された親機無線情報から親機発光部４４の発光態様を特定可能な情報を抽出し、抽出された親機発光部４４の発光態様を特定可能な情報に基づいて子機発光部５４の発光態様を制御する。したがって、本実施の形態においても、親機発光部４４の発光態様と子機発光部５４の発光態様とを関連付けて制御することができる。
【００７９】
また、子機制御部５５は、親機電球４の発光態様を特定可能な情報に基づいて、親機発光部４４の発光態様と同一の発光態様で子機発光部５４を発光させる。したがって、本実施の形態においても、実施の形態１と同様に、親機発光部４４と子機発光部５４とを同一の発光態様で発光させることができる。
【００８０】
図１２に示されるように、コントローラ１０２は、入力部１２２〜１２６、表示部１２１、およびコントローラアンテナ部１２８を備えている。入力部１２２〜１２６は、使用者の操作によって情報を入力するためのものである。入力部１２２〜１２６は、送信部１２４、連動スイッチ１２３、非連動スイッチ１２２、輝度入力部１２５、および色入力部１２６を含んでいる。
【００８１】
送信部１２４は、コントローラ１０２から親機電球４へコントローラ指令情報を送信することを決定するためのものである。表示部１２１は、入力部１２２〜１２６の操作によって入力された入力情報を表示する。これにより、使用者は、自らが入力したコントローラ無線情報の内容を確認することができる。
【００８２】
連動スイッチ１２３は、親機電球４の発光態様と子機電球５の発光態様とを連動させるときに使用される。本実施の形態においては、連動スイッチ１２３が押されたときには、親機電球４の発光態様と子機電球５の発光態様とは同一になるように設定されている。連動スイッチ１２３が押されると、表示部１２１に「連動」と表示される。
【００８３】
輝度入力部１２５は、親機電球４が発する光の輝度の情報を入力するためのものである。色入力部１２６は、親機電球４が発する光の色温度の情報を入力するためのものである。本実施の形態においては、輝度入力部１２５と色入力部１２６とが独立して設けられているため、コントローラ１０２の操作により、親機電球４が発する光の輝度と色温度とを独立して制御することができる。ただし、輝度入力部１２５と色入力部１２６とが一体化された輝度色入力部が設けられていてもよい。この場合、予め定められた輝度と色温度との関係で親機電球４の発光態様を変更することができる。
【００８４】
コントローラアンテナ部１２８は、入力部１２２〜１２６を用いて入力されたコントローラ無線情報を送信する。
【００８５】
本実施の形態においては、コントローラ１０２は、非連動スイッチ１２２が押された場合に、非連動指示情報をコントローラ無線情報として親機電球４に送信する。非連動指示情報は、子機電球５の発光態様を親機電球４の発光態様に連動させないことを指示するためのものである。具体的には、非連動指示情報は、子機電球５の発光態様を固定した状態で、親機電球４の発光態様のみを変更することができる状態を形成するためのものである。
【００８６】
また、コントローラ１０２は、連動スイッチ１２３が押された場合に、非連動指示解除情報をコントローラ無線情報として親機電球４に送信する。非連動指示解除情報は、非連動指示情報を解除するためのものである。それにより、子機電球５の発光態様が親機電球４の発光態様に連動する。本実施の形態においては、子機電球５の発光態様が親機電球４の発光態様と同一になる。
【００８７】
（非連動制御Ｉ）
本実施の形態においては、コントローラ１０２の非連動スイッチ１２２が押された場合、コントローラ１０２から親機電球４へ送信されるコントローラ無線情報が非連動指示情報を含んでいる。この場合、親機制御部４５は、非連動指示情報を受信した後においては、非連動指示解除情報を受信するまで、親機電球４の発光態様を特定可能な情報を親機無線情報として送信しない。これによっても、実施の形態１と同様に、子機制御部５５は、親機電球４が非連動指示情報を受信する前に受信した親機発光部４４の発光態様を特定可能な情報に基づく子機発光部５４の発光態様の制御を維持する。この子機電球５の制御は、子機電球５が非連動指示情報を受信した後非連動指示解除情報を受信するまでの期間において行われる。この期間においては、子機発光部５４の発光態様を維持した状態で、親機発光部４４の発光態様のみを独立して変更することができる。
【００８８】
（非連動制御Ｉの解除）
コントローラ１０２の連動スイッチ１２３が押された場合、コントローラ無線情報は、子機発光部５４の発光態様を親機発光部４４の発光態様に連動させない旨の指示を解除することを指示する非連動指示解除情報を含んでいる。この場合、親機電球４がコントローラ１０２から送られてきた非連動指示解除情報を受信すると、親機制御部４５は、親機発光部４４の発光態様を特定可能な情報を子機電球５へ送信する。それにより、子機発光部５４は、親機電球４から送信されてきた親機発光部４４の発光態様を特定可能な情報に基づいて子機親機発光部４４を制御する。その結果、子機発光部５４の発光態様と親機発光部４４の発光態様とを再び連動させることができる。
【００８９】
（非連動制御ＩＩ）
また、親機制御部４５は、コントローラ無線情報が子機電球５の発光態様を親機電球４の発光態様に連動させないことを指示する非連動指示情報を含んでいる場合に、子機電球５へ非連動指示情報を送信してもよい。この場合、子機制御部５５は、非連動指示情報を受信する前に受信した親機発光部４４を特定可能な情報に基づく子機発光部５４の発光態様の制御を維持する。この制御は、親機電球４が非連動指示情報を受信した後、非連動指示情報を解除することを指示する非連動指示解除情報を受信するまでの期間において行われる。したがって、本実施の形態においても、実施の形態１と同様に、子機発光部５４の発光態様を維持した状態で、親機発光部４４の発光態様のみを独立して変更することができる。
【００９０】
（非連動制御ＩＩの解除）
コントローラ１０２の連動スイッチ１２３が押された場合、コントローラ指令情報は、子機発光部５４の発光態様を親機発光部４４の発光態様に連動させない旨の指示を解除することを指示する非連動指示解除情報を含んでいる。この場合、コントローラ１０２から送られてきたコントローラ無線情報を受信すると、親機制御部４５は、非連動指示解除情報を無線情報に含めて親機アンテナ部４６から子機電球５へ送信する。これにより、子機制御部５５は、非連動指示解除情報を受信した後においては、親機発光部４４の発光態様を特定可能な情報に基づいて子機発光部５４の発光態様を制御する。その結果、親機発光部４４と子機発光部５４とは、再び連動して発光する。
【００９１】
本実施の形態においても、実施の形態１と同様に、親機発光部４４と子機発光部５４とは、必ずしも同一の発光態様で発光する必要はない。親機発光部４４の発光態様に対応する子機発光部５４の発光態様が予め定められていればよい。この前提条件の下で、親機発光部４４の発光態様を特定可能な情報に基づいて、親機発光部４４の発光態様に対応する発光態様で子機発光部５４を発光させるための制御が実行される。
【００９２】
図１２および図１３に示されるコントローラ１０２によれば、親機電球４が発する光の輝度および色温度のそれぞれを独立して変更することができる。ただし、コントローラ１０２は、親機発光部４４の発光態様を特定可能な情報は、輝度と色温度とが予め定められた対応関係を有する情報を送信するスイッチを有していてしてもよい。この場合は、実施の形態１と同様に、光の輝度と光の色温度とが予め決定された適切な対応関係となるように、親機発光部４４を発光させることができる。
【００９３】
（実施の形態３）
次に、本発明の実施の形態３の電球セットを説明する。実施の形態３の電球セットは、実施形態１の照明システムと同様の照明システムにおいて使用される。実施の形態３の電球セットは、いずれも、実施の形態１の電球セットと外観上の構造においては同一である。つまり、本実施の形態の電球セットは、図４および図５に示される親機電球４および子機電球５によって構成されている。この場合も、親機電球４と子機電球５とは、外観上の構造においては、同一である。したがって、親機電球４および子機電球５は、それぞれ、第１の照明器具本体４０および第２の照明器具本体５０のいずれにも取り付けることができる。
【００９４】
本実施の形態の電球は、実施の形態１の電球セットにおいて親機電球４および子機電球５のいずれかとして用いられる電球であって、親機電球４の機能と子機電球５の機能との双方を備えている。具体的には、図６に示される親機電球４の機能と図７に示される子機電球５の機能との双方を有している。親機電球４として用いられる場合には、図６およびそれに関連して説明された機能が実現され、子機電球５として用いられる場合には、図７およびそれに関連して説明された機能が実現される。
【００９５】
本実施の形態の電球セットによれば、電球が取り付けられている照明器具本体の操作部が操作された電球が、実施の形態１の親機電球４として使用される。また、親機電球４以外の電球は、親機電球４から送信されてきた無線情報に基づいて制御されるため、実施の形態１の子機電球５として機能する。したがって、予備の電球を準備しておけば、親機電球４および子機電球５のいずれが使用不能な状態になっても、使用不能になった電球を予備の電球と容易に交換するだけで、照明システムを再構築することができる。
【００９６】
また、複数の照明器具本体の操作部のうちのいずれの照明器具本体の操作部を操作しても、その操作された操作部を有する照明器具本体に取り付けられた電球を親機電球４として機能させることができる。この場合、操作部が操作されなかった照明器具本体に取り付けられた電球を子機電球５として機能させることができる。したがって、いずれの照明器具本体の操作部を操作しても、１つの部屋内の複数の電球を一括して制御することができる。
【００９７】
（実施の形態４）
次に、本発明の実施の形態４の電球セットを説明する。実施の形態４の電球セットは、実施形態２の照明システムと同様の照明システムにおいて使用される。実施の形態４の電球セットは、いずれも、実施の形態２の電球セットと外観上の構造においては同一である。つまり、本実施の形態の電球セットは、図１０および図５に示される親機電球４および子機電球５によって構成されている。この場合も、親機電球４と子機電球５とは、外観上の構造においては、同一である。したがって、親機電球４および子機電球５は、それぞれ、第１の照明器具本体４０および第２の照明器具本体５０のいずれにも取り付けることができる。親機電球４は、図１２に示されるコントローラ１０２によって制御される。
【００９８】
本実施の形態の電球は、実施の形態２の電球セットにおいて親機電球４および子機電球５のいずれかとして用いられる電球である。本実施の形態の電球は、図１４に示されるように、親機電球４の機能と子機電球５の機能とが切り替えられる切替スイッチ１００を備えている。
【００９９】
切替スイッチ１００が親機電球４として機能することを指示している場合には、電球は親機電球４として機能する。切替スイッチ１００が子機電球５として機能することを指示している場合には、電球は子機電球５として機能する。つまり、本実施の形態の電球は、図１１に示される親機電球４の機能と図７に示される子機電球５の機能との双方を有している。
【０１００】
本実施の形態の電球は、親機電球４として用いられる場合には、図１１およびそれに関連して説明された機能を実現する。また、本実施の形態の電球は、子機電球５として用いられる場合には、図７およびそれに関連して説明された機能を実現する。したがって、親機電球４および複数の子機電球５のいずれが使用不能な状態になっても、電球の切替スイッチ１００を操作するだけで、予備の電球を使用不能な状態になった電球と交換することができる。それにより、容易に照明システムを再構築することができる。
【０１０１】
（電球の発光態様）
上記の実施の形態１〜４のいずれにおいても、図１４に示されるように、親機電球４の発光態様および子機電球５の発光態様は、いずれも、輝度と色温度とがクルイトフ（Kruithof）の快適領域内に含まれる発光態様であることが好ましい。つまり、電球の発光態様が、輝度と色温度とが使用者が快適であると感じるであろうと予め実験によって確認されている対応関係に設定されていることが好ましい。
【０１０２】
以下、実施の形態の電球セット、電球、および電球制御システムの特徴的構成およびそれにより得られる効果を説明する。
【０１０３】
（１）  実施の形態の電球セットは、親機電球４と子機電球５とを備えている。親機電球４は、取り外し可能な態様で第１の照明器具本体４０に取り付けられている。親機電球４は、第１の照明器具本体４０の操作部１０の使用者による操作に基づいて発光態様が変更される。子機電球５は、取り外し可能な状態で第２の照明器具本体５０に取り付けられている。子機電球５は、親機電球４から送信されてきた親機無線情報に基づいて発光態様が変更される。
【０１０４】
親機電球４は、親機口金部４１、親機発光部４４、親機制御部４５、および親機アンテナ部４６を含んでいる。親機口金部４１は、第１の照明器具本体４０に対して取り付けられる。親機発光部４４は、第１の照明器具本体４０から親機口金部４１を経由して供給される電力を利用して発光する。親機制御部４５は、第１の照明器具本体４０から親機口金部４１を経由して供給される電力の供給態様によって特定される本体指令情報に基づいて、親機発光部４４の発光態様を制御する。親機アンテナ部４６は、親機制御部４５によって制御されることにより親機発光部４４の発光態様を特定可能な情報を含む親機無線情報を子機電球５へ送信する。
【０１０５】
子機電球５は、子機口金部５１、子機発光部５４、子機アンテナ部５６、および子機制御部５５を含んでいる。子機口金部５１は、第２の照明器具本体５０に対して取り付けられる。子機発光部５４は、第２の照明器具本体５０から子機口金部５１を経由して供給される電力を利用して発光する。子機アンテナ部５６は、親機電球４から送信されてきた親機無線情報を受信する。子機制御部５５は、子機アンテナ部５６で受信された親機無線情報から親機発光部４４の発光態様を特定可能な情報を抽出する。子機制御部５５は、抽出された親機発光部４４の発光態様を特定可能な情報に基づいて子機発光部５４の発光態様を制御する。
【０１０６】
上記の制御によれば、親機発光部４４の発光態様と子機発光部５４の発光態様とを一括して制御することができる。
【０１０７】
（２）  子機制御部５５は、親機発光部４４の発光態様を特定可能な情報に基づいて、親機発光部４４の発光態様と同一の発光態様で子機発光部５４を発光させてもよい。
【０１０８】
上記の制御によれば、親機発光部４４と子機発光部５４とを同一の発光態様で発光させることにより、親機電球４および子機電球５を一括して同一の発光態様で発光させることができる。
【０１０９】
（３）  本体指令情報が子機電球５と親機発光部４４とを連動させないことを指示する非連動指示情報を含んでいる場合がある。この場合には、親機制御部４５は、非連動指示情報に基づく指示を解除することを指示する非連動指示解除情報を受信するまで、親機発光部４４の発光態様を特定可能な情報を親機無線情報として送信しない。
【０１１０】
上記の制御によれば、子機発光部５４の発光態様を維持した状態で、親機発光部４４の発光態様のみを変更することができる。
【０１１１】
（４）  親機制御部４５は、本体指令情報が子機発光部５４と親機発光部４４とを連動させないことを指示する非連動指示情報を含んでいる場合に、子機電球５へ非連動指示情報を送信してもよい。この場合、子機制御部５５は、非連動指示情報を受信する前に受信した親機発光部４４の発光態様を特定可能な情報に基づいた子機発光部５４の発光態様の制御を維持する。これは、非連動指示情報を受信した後、非連動指示情報に基づく指示を解除することを指示する非連動指示解除情報を受信するまでの期間の制御である。
【０１１２】
上記の制御によれば、子機発光部５４の発光態様を維持した状態で、親機発光部４４の発光態様のみを変更することができる。
【０１１３】
（５）  親機発光部４４の発光態様を特定可能な情報は、輝度と色温度とが予め定められた対応関係を有する情報であってもよい。
【０１１４】
上記の構成によれば、操作部１０を操作するだけで、輝度と色温度とが、使用者が快適に感じるであろうと予想される適切な対応関係になっている状態で、親機発光部４４を発光させることができる。
【０１１５】
（６）  電球制御システムは、コントローラ１０２、親機電球４、および子機電球５を備えている。コントローラ１０２は、使用者の操作により電球の発光態様を制御するためのものである。親機電球４は、取り外し可能な態様で第１の照明器具本体４０に取り付けられている。親機電球４は、コントローラ１０２から送信されてきたコントローラ無線情報に基づいて発光態様が変更される。子機電球５は、取り外し可能な状態で第２の照明器具本体５０に取り付けられている。子機電球５は、親機電球４から送信されてきた親機無線情報に基づいて発光態様が変更される。
【０１１６】
親機電球４は、親機口金部４１、親機発光部４４、親機制御部４５、および親機アンテナ部４６を含んでいる。親機口金部４１は、第１の照明器具本体４０に対して取り付けられている。親機発光部４４は、第１の照明器具本体４０から親機口金部４１を経由して供給される電力を利用して発光する。親機制御部４５は、コントローラ１０２から送信されてきたコントローラ無線情報に基づいて、親機発光部４４の発光態様を制御する。親機アンテナ部４６は、親機制御部４５によって制御されることにより親機発光部４４の発光態様を特定可能な情報を含む親機無線情報を子機電球５へ送信する。
【０１１７】
子機電球５は、子機口金部５１、子機発光部５４、子機アンテナ部５６、および子機制御部５５を含んでいる。子機口金部５１は、第２の照明器具本体５０に対して取り付けられる。子機発光部５４は、第２の照明器具本体５０から子機口金部５１を経由して供給される電力を利用して発光する。子機アンテナ部５６は、親機電球４から送信されてきた親機無線情報を受信する。子機制御部５５は、子機アンテナ部５６で受信された親機無線情報から親機発光部４４の発光態様を特定可能な情報を抽出する。子機制御部５５は、抽出された親機発光部４４の発光態様を特定可能な情報に基づいて子機発光部５４の発光態様を制御する。
【０１１８】
上記の制御によれば、親機発光部４４の発光態様と子機発光部５４の発光態様とを一括して制御することができる。
【０１１９】
（７）  子機制御部５５は、親機発光部４４の発光態様を特定可能な情報に基づいて、親機発光部４４の発光態様と同一の発光態様で子機発光部５４を発光させてもよい。
【０１２０】
上記の制御によれば、親機発光部４４と子機発光部５４とを一括して同一の発光態様で発光させることができる。
【０１２１】
（８）  コントローラ無線情報が子機発光部５４と親機発光部４４とを連動させないことを指示する非連動指示情報を含んでいる場合がある。この場合には、親機制御部４５は、非連動指示情報に基づく指示を解除することを指示する非連動指示解除情報を受信するまで、親機発光部４４の発光態様を特定可能な情報を親機無線情報として送信しなくてもよい。
【０１２２】
上記の制御によれば、子機発光部５４の発光態様を維持した状態で、親機発光部４４の発光態様のみを変更することができる。
【０１２３】
（９）  親機制御部４５は、コントローラ無線情報が子機発光部５４の発光態様を親機発光部４４の発光態様に連動させないことを指示する非連動指示情報を含んでいる場合に、子機電球５へ非連動指示情報を送信してもよい。この場合、子機制御部５５は、非連動指示情報を受信する前に受信した親機発光部４４の発光態様を特定可能な情報に基づいた子機発光部５４の発光態様の制御を維持する。これは、非連動指示情報を受信した後、非連動指示情報を解除することを指示する非連動指示解除情報を受信するまでの期間の制御である。
【０１２４】
上記の制御によれば、子機発光部５４の発光態様を維持した状態で、親機発光部４４の発光態様を変更することができる。
【０１２５】
（１０）  親機発光部４４の発光態様を特定可能な情報は、輝度と色温度とが予め定められた対応関係を有する情報であってもよい。
【０１２６】
上記の構成によれば、コントローラ１０２を操作するだけで、輝度と色温度とが、使用者が快適に感じるであろうと予想される適切な対応関係になっている状態で、親機発光部４４を発光させることができる。
【０１２７】
（１１）  実施の形態の電球は、上記の電球セットにおける親機電球４として構成されている。
【０１２８】
この電球によれば、上記の電球セットの親機電球４が使用不能な状態になった場合に、親機電球４のみを交換することにより、上記の照明システムを再構築することができる。
【０１２９】
（１２）  実施の形態の電球は、上記の電球セットにおける子機電球５として構成されている。
【０１３０】
この電球によれば、上記の電球セットの子機電球５が使用不能な状態になった場合に、子機電球５のみを交換することにより、上記の照明システムを再構築することができる。
【０１３１】
（１３）  実施の形態の電球は、上記の電球セットにおいて親機電球４および子機電球５のいずれかとして用いられる電球であって、親機電球４の機能と子機電球５の機能との双方を備えている。
【０１３２】
上記の構成によれば、電球は、前述の親機電球４および子機電球５のいずれとしても使用され得る。したがって、親機電球４および子機電球５のいずれが使用不能となっても、使用不能な状態になった電球を予備の電球と交換するだけで、上記の照明システムを容易に再構築することができる。
【０１３３】
（１４）  実施の形態の電球は、上記の電球セットにおいて親機電球４および子機電球５のいずれかとして用いられる電球であって、親機電球４の機能と子機電球５の機能とが切り替えるための切替スイッチをさらに備えている。
【０１３４】
上記の構成によれば、電球は、切替スイッチを切り替えるだけで、前述の親機電球４および子機電球５のいずれとしても使用され得る。したがって、親機電球４および子機電球５のいずれが使用不能な状態になっても、上記の照明システムを容易に再構築することができる。
【０１３５】
（１５）  電球制御システムは、上記の電球セットと、電球セットの親機電球４にコントローラ無線情報を送信するコントローラ１０２とを備えている。
【０１３６】
上記の構成によれば、電球セットをコントローラ１０２によって制御することができる。
【符号の説明】
【０１３７】
４  親機電球
５  子機電球
１０  操作部
４０  第１の照明器具本体
４１  親機口金部
４４  親機発光部
４５  親機制御部
４６  親機アンテナ部
５０  第２の照明器具本体
５１  子機口金部
５４  子機発光部
５５  子機制御部
５６  子機アンテナ部
１０２  コントローラ
【図１】
2016100125.tif 000003
【図２】
2016100125.tif 000004
【図３】
2016100125.tif 000005
【図４】
2016100125.tif 000006
【図５】
2016100125.tif 000007
【図６】
2016100125.tif 000008
【図７】
2016100125.tif 000009
【図８】
2016100125.tif 000010
【図９】
2016100125.tif 000011
【図１０】
2016100125.tif 000012
【図１１】
2016100125.tif 000013
【図１２】
2016100125.tif 000014
【図１３】
2016100125.tif 000015
【図１４】
2016100125.tif 000016